(57)【特許請求の範囲】
【請求項１】
基板に取り付けられるベース部と、
前記ベース部にスカート部を介して接続され、前記基板から離れる方向に弾性的に膨出したドーム状膨出部と、
前記ドーム状膨出部の先端部に設けられ、鍵または押鍵操作に伴い移動する移動部材によって駆動される被駆動部と、
前記ドーム状膨出部の前記基板に対向する縁部に設けられたドーム可動接点と、
各々、前記被駆動部から前記基板に近づく方向に弾性的に膨出した膨出部の先端部に設けられた複数の可動接点と、を有し、
押鍵往行程において、前記ドーム可動接点が、それに対応して前記基板に配設された固定接点に対して当接すると共に、前記複数の可動接点が、それら各々に対応して前記基板に配設された固定接点に対して各々当接することで、押鍵状態が検出されるように構成され、
押鍵往行程において、前記ドーム可動接点及び前記複数の可動接点の、各々に対応する固定接点に対して当接するタイミングは互いに異なっており、
前記ドーム状膨出部の前記縁部は、前記基板の側からみて、前記複数の可動接点を囲んで且つ前記複数の可動接点の配列方向に沿って長い環状であり、
前記縁部のうち前記ドーム状膨出部の長手方向における中間部には、前記基板に当接しないような切欠部が形成され、
前記縁部のうち前記ドーム状膨出部の長手方向における中間部には、厚肉部が設けられたことを特徴とする電子鍵盤楽器の鍵スイッチ構造。
【請求項２】
前記縁部のうち前記切欠部が形成されている部分は前記縁部のうち他の部分よりも厚い前記厚肉部として形成されていることを特徴とする請求項１記載の電子鍵盤楽器の鍵スイッチ構造。
【請求項３】
前記ドーム状膨出部の前記縁部の前記基板の側から見た形状は、楕円形であることを特徴とする請求項１または２記載の電子鍵盤楽器の鍵スイッチ構造。
【請求項４】
前記ドーム可動接点は、前記長手方向において、前記切欠部を挟んで、前記基板の側から見ていずれも円弧状の第１のドーム可動接点及び第２のドーム可動接点の２つに分かれて構成されたことを特徴とする請求項１〜３のいずれか１項に記載の電子鍵盤楽器の鍵スイッチ構造。
【請求項５】
押鍵往行程において、前記第１のドーム可動接点及び前記第２のドーム可動接点が、それら各々に対応して前記基板に配設された固定接点に対して順に当接するように構成されたことを特徴とする請求項４記載の電子鍵盤楽器の鍵スイッチ構造。
【請求項６】
非押鍵状態における前記第１のドーム可動接点は、前記ドーム状膨出部の短手方向視において、押鍵往行程において最初に当接する部分から前記第２のドーム可動接点の方向に向かうにつれて前記基板からの距離が大きいことを特徴とする請求項５記載の電子鍵盤楽器の鍵スイッチ構造。
【請求項７】
前記複数の可動接点の配列方向は前記鍵の長手方向と同じであることを特徴とする請求項１〜６のいずれか１項に記載の電子鍵盤楽器の鍵スイッチ構造。
【請求項８】
前記基板に配設される前記各固定接点に接続される配線は、前記基板上における、前記ドーム状膨出部の前記縁部の前記切欠部に対向する部分を通って配設されることを特徴とする請求項１〜７のいずれか１項に記載の電子鍵盤楽器の鍵スイッチ構造。
【発明の詳細な説明】
【技術分野】
【０００１】
本発明は、電子鍵盤楽器の鍵スイッチ構造に関する。
【背景技術】
【０００２】
従来、電子鍵盤楽器の鍵スイッチ構造において、押鍵操作によって動作し、タッチレスポンスの実現等のために弾性材でなる３メイク式のスイッチを備えたものが知られている。例えば、下記特許文献１（第５図）のスイッチ構造では、３つの可動接点が一列に配列されて設けられ、押鍵操作により順次メイク（オン）していく。
【０００３】
この種の、ゴム等の弾性材で構成した３メイク式スイッチは鍵やハンマで駆動されるが、駆動されることで反力を発生させるため、押鍵荷重に反映されることになる。これを図４で説明する。
【０００４】
図４（ａ）は、従来の３メイク式スイッチを備える鍵スイッチ構造の模式図である。図４（ｂ）は、３メイク式スイッチにより鍵が受ける荷重の遷移を示す図である。
【０００５】
図４（ａ）に示すように、鍵Ｋが鍵支点Ｃを中心に揺動自在に配設される。３メイク式のスイッチＳＷは、ドーム状のスカート部ＳＫを含んで基板Ｂから鍵Ｋ側に膨出し、上端部が鍵Ｋによって押圧駆動される。スカート部ＳＫの内側に、基板Ｂ側に膨出した３つの膨出部が形成され、各々の膨出部の先端に可動接点ｓｗ１〜ｓｗ３が設けられる。鍵Ｋが押下操作されると、可動接点ｓｗ１〜ｓｗ３の順に、対応して基板Ｂに配設された固定接点（図示せず）に当接し、オンしていく。
【０００６】
図４（ｂ）に示すように、押鍵往行程において、可動接点ｓｗ１がメイクする前までは、スカート部ＳＫの弾性変形による反力Ｆ１が生じ、その後、可動接点ｓｗ１、ｓｗ２、ｓｗ３が順にオンしておくと、それぞれの膨出部のスカートの弾性変形によって反力Ｆ２、Ｆ３、Ｆ４が生じる。反力Ｆ２、Ｆ３、Ｆ４の山形状は、小さな膨出部の弾性変形と座屈によって形成され、反力の山が滑らかでない。しかも、可動接点数が３つと多い。そのため、滑らかでない反力の山が多く生じると共に、押鍵往行程後半において反力自体も加算されて大きくなり、押鍵感触に悪影響を及ぼす傾向にあった。
【０００７】
ところで、反力の山を滑らかにするために、下記特許文献２のスイッチ構造のように、ドーム状のスカート部の円形の下縁部に可動接点を設け、それの内側に複数の可動接点を設けることが考えられる。
【先行技術文献】
【特許文献】
【０００８】
【特許文献１】特開平１１−２１３８１５号公報
【特許文献２】実開昭６３−１６２３９９号公報
【発明の概要】
【発明が解決しようとする課題】
【０００９】
しかしながら、特許文献２のスイッチ構造では、基板において、ドームの内側の可動接点に対応する固定接点から配線を引き出す必要があるが、その配線は、ドーム状のスカート部に設けた可動接点が当接する領域を通らざるを得ず、押鍵の度にスカート部に踏まれてしまうことになる。そのため、何らかの保護をしないと、剥がれやすく耐久性が低くなり、長期的なスイッチング動作の安定を維持する上で問題があった。
【００１０】
また、仮に、ドーム状のスカート部が、押鍵操作時に外方に広がるような動きをするようであると、安定したスイッチング動作の妨げになるため、スイッチ構造の設計においてそれを考慮する必要がある。
【００１１】
ところで、特許文献２のスイッチ構造では、ドーム状のスカート部が内側の可動接点を囲むように円形に形成されるため、基板に平行ないずれの方向にも小型化できず、鍵スイッチに用いる上で有利とはいえない。
【００１２】
本発明は上記従来技術の問題を解決するためになされたものであり、その目的は、３メイク以上の鍵スイッチにおいて押鍵荷重特性の向上を実現すると共に、安定したスイッチング動作を維持することができる電子鍵盤楽器の鍵スイッチ構造を提供することにある。
【課題を解決するための手段】
【００１３】
上記目的を達成するために本発明の請求項１の電子鍵盤楽器の鍵スイッチ構造は、基板（１０）に取り付けられるベース部（１１）と、前記ベース部にスカート部（ＳＫａ）を介して接続され、前記基板から離れる方向に弾性的に膨出したドーム状膨出部（１２）と、前記ドーム状膨出部の先端部に設けられ、鍵（Ｋ）または押鍵操作に伴い移動する移動部材によって駆動される被駆動部（１４）と、前記ドーム状膨出部の前記基板に対向する縁部（１３）に設けられたドーム可動接点（ｓｗＡ１、ｓｗＡ２）と、各々、前記被駆動部から前記基板に近づく方向に弾性的に膨出した膨出部（１５、１６）の先端部に設けられた複数の可動接点（ｓｗＢ、ｓｗＣ）と、を有し、押鍵往行程において、前記ドーム可動接点が、それに対応して前記基板に配設された固定接点に対して当接すると共に、前記複数の可動接点が、それら各々に対応して前記基板に配設された固定接点に対して各々当接することで、押鍵状態が検出されるように構成され、押鍵往行程において、前記ドーム可動接点及び前記複数の可動接点の、各々に対応する固定接点に対して当接するタイミングは互いに異なっており、前記ドーム状膨出部の前記縁部は、前記基板の側からみて、前記複数の可動接点を囲んで且つ前記複数の可動接点の配列方向に沿って長い環状であり、前記縁部のうち前記ドーム状膨出部の長手方向における中間部には、前記基板に当接しないような切欠部（１３ａ）が形成され、前記縁部のうち前記ドーム状膨出部の長手方向における中間部には、厚肉部が設けられたことを特徴とする。
【００１４】
好ましくは、前記縁部のうち前記切欠部が形成されている部分は前記縁部のうち他の部分よりも厚い前記厚肉部として形成されている（請求項２）。
【００１５】
好ましくは、前記ドーム状膨出部の前記縁部の前記基板の側から見た形状は、楕円形である（請求項３）。
【００１６】
好ましくは、前記ドーム可動接点は、前記長手方向において、前記切欠部を挟んで、前記基板の側から見ていずれも円弧状の第１のドーム可動接点（ｓｗＡ１）及び第２のドーム可動接点（ｓｗＡ２）の２つに分かれて構成される（請求項４）。
【００１７】
好ましくは、押鍵往行程において、前記第１のドーム可動接点及び前記第２のドーム可動接点が、それら各々に対応して前記基板に配設された固定接点（２１Ａ１、２１Ａ２）に対して順に当接するように構成される（請求項５）。
【００１８】
好ましくは、非押鍵状態における前記第１のドーム可動接点は、前記ドーム状膨出部の短手方向視において、押鍵往行程において最初に当接する部分（１７、Ｐ１）から前記第２のドーム可動接点の方向に向かうにつれて（１８）前記基板からの距離が大きい（請求項６）。
【００１９】
好ましくは、前記複数の可動接点の配列方向は前記鍵の長手方向と同じである（請求項７）。
【００２０】
好ましくは、前記基板に配設される前記各固定接点に接続される配線（２２）は、前記基板上における、前記ドーム状膨出部の前記縁部の前記切欠部に対向する部分を通って配設される（請求項８）。
【００２１】
上記目的を達成するために本発明の請求項９の電子鍵盤楽器の鍵スイッチ構造は、基板（１０）に取り付けられるベース部（１１）と、前記ベース部にスカート部（ＳＫａ）を介して接続され、前記基板から離れる方向に弾性的に膨出したドーム状膨出部（１２）と、前記ドーム状膨出部の先端部に設けられ、鍵（Ｋ）自身または押鍵操作に伴い移動する移動部材によって駆動される被駆動部（１４）と、前記ドーム状膨出部の前記基板に対向する縁部（１３）に設けられたドーム可動接点（ｓｗＡ１、ｓｗＡ２）と、各々、前記被駆動部から前記基板に近づく方向に弾性的に膨出した膨出部（１５、１６）の先端部に設けられた複数の可動接点（ｓｗＢ、ｓｗＣ）と、押鍵往行程において、前記ドーム可動接点が、それに対応して前記基板に配設された固定接点に対して当接すると共に、前記複数の可動接点が、それら各々に対応して前記基板に配設された固定接点に対して各々当接することで、押鍵状態が検出されるように構成され、押鍵往行程において、前記ドーム可動接点及び前記複数の可動接点の、各々に対応する固定接点に対して当接するタイミングは互いに異なっており、前記ドーム状膨出部の前記縁部には、前記基板に当接しないような切欠部（１３ａ）が形成されたことを特徴とする。
【００２２】
なお、上記括弧内の符号は例示である。
【発明の効果】
【００２３】
本発明の請求項１によれば、３メイク以上の鍵スイッチにおいて押鍵荷重特性の向上と小型化を実現すると共に、安定したスイッチング動作を維持することができる。
【００２４】
請求項２、３によれば、動作時におけるドーム状膨出部の縁部の外方への変形を抑制してスイッチング動作を安定させることができる。
【００２５】
請求項４によれば、動作時に外方へ変形しやすいドーム状膨出部の長手方向中間部が基板に当接しないので、ドーム可動接点に踏まれないように配線を配設して安定したスイッチング動作を長期に亘って維持することが容易となる。
【００２６】
請求項５によれば、４メイク以上の鍵スイッチを小型に構成することができる。
【００２７】
請求項６によれば、第１のドーム可動接点の固定接点との当接状態を安定させることができる。
【００２８】
請求項７によれば、鍵の幅方向において鍵スイッチをコンパクトにすることができる。
【００２９】
請求項８によれば、配線が踏まれないで済み、安定したスイッチング動作を長期に亘って維持することができる。
【００３０】
本発明の請求項９によれば、３メイク以上の鍵スイッチにおいて押鍵荷重特性の向上を実現すると共に、安定したスイッチング動作を維持することができる。
【図面の簡単な説明】
【００３１】
【図１】本発明の第１の実施の形態に係る鍵スイッチ構造におけるスイッチ体の断面図、裏面図、固定接点パターン、スカート部が発生させる反力による押鍵荷重の遷移を示す図である。
【図２】本発明の第２の実施の形態に係る鍵スイッチ構造におけるスイッチ体の断面図、裏面図である。
【図３】可動接点ｓｗＡ１の下面形状の変形例、下縁部の変形例を示す図である。
【図４】従来の３メイク式スイッチを備える鍵スイッチ構造の模式図、鍵が受ける荷重の遷移を示す図である。
【発明を実施するための形態】
【００３２】
以下、本発明の実施の形態を図面を参照して説明する。
【００３３】
（第１の実施の形態）
図１（ａ）は、本発明の第１の実施の形態に係る鍵スイッチ構造におけるスイッチ体の断面図である。この鍵スイッチ構造は、複数の鍵Ｋを有する電子鍵盤楽器に適用され、スイッチ体ＳＷを有する。スイッチ体ＳＷは、基板１０上に、各鍵Ｋに対応して配設される。鍵Ｋは、図４（ａ）の構成と同様に、不図示の鍵支点を中心に揺動自在であり、押下操作されることで揺動し、スイッチ体ＳＷを押下する。スイッチ体ＳＷは、ゴム等の弾性部材で一体に構成された接点時間差タイプの３メイク式タッチレスポンススイッチである。
【００３４】
図１（ｂ）は、スイッチ体ＳＷを基板１０の側から見た裏面図である。以降、スイッチ体ＳＷにおいて鍵Ｋの側を上側、基板１０の側を下側と呼称することもある。図１（ｃ）は、固定接点パターンの平面図である。
【００３５】
スイッチ体ＳＷは、ベース部１１を有し、ベース部１１が基板１０に取り付けられる。ベース部１１の基板１０への取り付け態様は限定されるものではなく、接着や締結具を用いた態様の他、基板１０に設けた貫通穴にベース部１１から突設した突設部を貫通係合させる態様でもよい。
【００３６】
図１（ａ）に示すように、スイッチ体ＳＷは、上方に弾性的に膨出したドーム状膨出部１２を有する。ドーム状膨出部１２は、スカート部ＳＫａを介してベース部１１に接続され、非押鍵時においては基板１０から浮いた状態となっている。ドーム状膨出部１２は、スカート部ＳＫｂとそれの下部に一体に連接する下縁部１３とを有し、スカート部ＳＫａとの連結部分を境として上側がスカート部ＳＫｂ、下側が下縁部１３となっている。また、スカート部ＳＫｂの上部に被駆動部１４が形成されている。非押鍵状態において、被駆動部１４の上面１４ａに、鍵Ｋが当接または近接している。
【００３７】
ドーム状膨出部１２の内側であって、被駆動部１４の下部には、下方に弾性的に膨出した２つの膨出部１５、１６が形成される。膨出部１５、１６はそれぞれスカート部ＳＫｃ、ＳＫｄを有する。各スカート部ＳＫａ、ＳＫｂ、ＳＫｃ、ＳＫｄはいずれも薄く、弾性変形しやすくなっている。スカート部ＳＫａ、ＳＫｂは、上方ほど水平断面の環状形状が小さくなり、スカート部ＳＫｃ、ＳＫｄは、下方ほど水平断面の環状形状が小さくなる。
【００３８】
膨出部１５、１６の下部（先端部）にはそれぞれ、カーボンインク等の導電性材料でなる可動接点ｓｗＢ、ｓｗＣが基板１０に対向して設けられている。非押鍵状態において、可動接点ｓｗＢは可動接点ｓｗＣよりも低く、押鍵往行程においては可動接点ｓｗＢの方が先に基板１０に当接する。スイッチ体ＳＷが鍵Ｋの下方に配設されたとき、可動接点ｓｗＢと可動接点ｓｗＣとは、鍵Ｋの長手方向に沿って並ぶ。図１（ａ）の例では、鍵Ｋの先端側が図１（ａ）の左側とすれば、可動接点ｓｗＢが鍵Ｋの先端側となる。
【００３９】
ドーム状膨出部１２においては、図１（ａ）、（ｂ）に示すように、導電性材料でなる２つの可動接点（第１のドーム可動接点ｓｗＡ１及び第２のドーム可動接点ｓｗＡ２）が設けられる。まず、ドーム状膨出部１２の下縁部１３は、裏側から見て鍵Ｋの長手方向（可動接点ｓｗＢ、ｓｗＣの並び方向）に長い環状となっている。すなわち、２つの円弧状部分の両端をそれぞれ直線部分で連結したような形状となっている。また、ドーム状膨出部１２の長手方向（鍵Ｋの長手方向）における中間部において下縁部１３には、基板１０に当接しないような切欠部１３ａが形成されている。切欠部１３ａは、下縁部１３の２つの平行な直線部に、側面視（ドーム状膨出部の短手方向視）で下方に凹形状に切り欠かれて形成されている。
【００４０】
そして、下縁部１３のうち切欠部１３ａを挟んで長手方向において２つに分かれた部分の下端に可動接点ｓｗＡ１、ｓｗＡ２が基板１０に対向して設けられる。切欠部１３ａは、下縁部１３の直線部のほぼ線領域に亘って形成されるため、可動接点ｓｗＡ１、ｓｗＡ２は、裏面から見て対称形状の半円型である。可動接点ｓｗＡ１、ｓｗＡ２は非押鍵状態において同じ高さであり、スイッチとしては共通に１つの動作を検出する。また、可動接点ｓｗＡ１、ｓｗＡ２は、可動接点ｓｗＢよりも低い。従って、押鍵凹行程においては、可動接点ｓｗＡ１またはｓｗＡ２→可動接点ｓｗＢ→可動接点ｓｗＣの順に基板１０に当接する。離鍵行程においてはこれと逆の順番となる。
【００４１】
図１（ｃ）に示すように、基板１０の上面には、固定接点パターンとして、各可動接点ｓｗに対応する複数の固定接点が敷設されている。可動接点ｓｗＡ１、ｓｗＡ２、ｓｗＢ、ｓｗＣに対応して、固定接点２１Ａ１、２１Ａ２、２１Ｂ、２１Ｃが形成され、これらは各々一対の櫛歯状電極で構成されている。従って、各可動接点ｓｗが、それに対応する固定接点２１に当接するとメイク（オン）し、検出信号が得られる。押鍵状態を把握する上で、各検出信号の用い方については問わない。例えば、可動接点ｓｗＡから可動接点ｓｗＢまでのオンの時間差で押鍵ベロシティを検出し、その情報により、発生すべき楽音の音量を決定すると共に、可動接点ｓｗＣのオンタイミングで発音トリガを発生させるように用いてもよい。
【００４２】
各固定接点２１からは、基板１０上に施されるレジストパターンにより配線２２が引き出されている。これらのうち、固定接点２１Ａ１、２１Ａ２から引き出される配線２２の出所は、ドーム状膨出部１２の下縁部１３が呈する環状の外側に位置するので、下縁部１３に踏まれることはない。しかし、固定接点２１Ｂ、２１Ｃから引き出される配線２２の出所は、ドーム状膨出部１２の下縁部１３が呈する環状の内側に位置する。そこで、固定接点２１Ｂ、２１Ｃから引き出される配線２２については、基板１０上において、下縁部１３の切欠部１３ａに対向する領域を通って、下縁部１３が呈する環状の外側に導くように配設している。これにより、配線２２は、いずれの箇所も下縁部１３に踏まれることがない。
【００４３】
かかる構成において、押鍵往行程において、押鍵操作されると、鍵Ｋによって被駆動部１４が押圧駆動される。すると、まず、主にスカート部ＳＫａが撓んでドーム状膨出部１２の全体が基板１０側に変位し、可動接点ｓｗＡ１、ｓｗＡ２が固定接点２１Ａ１、２１Ａ２に当接すると、通電して第１メイクとしての信号が検出される。厳密には、可動接点ｓｗＡ１、ｓｗＡ２の間で時間差を生じることもあり得るが、いずれかが先に当接した時点で信号が検出される。
【００４４】
スカート部ＳＫａの変形はその状態で留まり、次に、スカート部ＳＫｂが撓んで膨出部１５、１６が基板１０側に変位し、可動接点ｓｗＢが固定接点２１Ｂに当接すると、通電して第２メイクとしての信号が検出される。さらに押鍵が進むと、可動接点ｓｗＢはその位置に留まるが、スカート部ＳＫｃが撓んで膨出部１６が基板１０側に変位し、可動接点ｓｗＣが固定接点２１Ｃに当接すると、通電して第３メイクとしての信号が検出される。その後、押鍵終了状態まで、主にスカート部ＳＫｄが撓んでいく。
【００４５】
スカート部ＳＫが発生させる反力による押鍵荷重の遷移は、図１（ｄ）に示すものとなる。すなわち、可動接点ｓｗＡ１、ｓｗＡ２がメイクするまでは、主にスカート部ＳＫａの弾性変形による荷重上昇（ＳＫａ）生じる、可動接点ｓｗＡがメイクした後は、スカート部ＳＫａによる荷重の増大はなく、可動接点ｓｗＢがメイクするまでは、主にスカート部ＳＫｂの弾性変形による荷重上昇（ＳＫａ）が生じる。スカート部ＳＫａ、ＳＫｂは共に大きな腕状であるので、両者間の荷重上昇の変化は緩やかである。
【００４６】
可動接点ｓｗＢのメイク後、可動接点ｓｗＣがメイクするまでは、スカート部ＳＫｃの弾性変形による荷重上昇（ＳＫｃ）が生じ、可動接点ｓｗＣのメイク後はスカート部ＳＫｄの弾性変形による荷重上昇（ＳＫｄ）が生じるが、これらの反力の山形状は従来と同じである。しかし、従来のように３つの可動接点が一列に配列されたものに比べると、山の数が１つ少なくて済み、押鍵ストロークの後半に荷重が急上昇することが抑制される。
【００４７】
第１メイク用の２個の可動接点ｓｗＡ１、ｓｗＡ２が可動接点ｓｗＢ、ｓｗＣを挟んで配置されるので、可動接点ｓｗＢ、ｓｗＣがメイクするときには可動接点ｓｗＡ１、ｓｗＡ２が支えとなって、可動接点ｓｗＢ、ｓｗＣの接触動作が安定する。従来のように、単純に３つの可動接点を一列に配置した構成では、２つ目の可動接点がメイクする際には最初にメイクした可動接点の１点による支えとなるため、２つ目にメイクする可動接点が傾きやすく、同じ押鍵速度であっても接触状態やメイク時間差にばらつきが出やすい。しかし、本実施の形態では、可動接点ｓｗＢ、ｓｗＣが２個の可動接点ｓｗＡ１、ｓｗＡ２で囲まれているので、２つ目移行のメイク動作が安定する。
【００４８】
本実施の形態によれば、ドーム状膨出部１２の下縁部１３に可動接点ｓｗＡが設けられると共に、下縁部１３は基板１０の側からみて、可動接点ｓｗＢ、ｓｗＣを囲んで且つこれらの配列方向に沿って長い環状である。また、可動接点ｓｗＡを設けるためのドーム状膨出部１２は、可動接点ｓｗＢ、ｓｗＣを設けるための膨出部１５、１６のような個別の膨出部と比べればスペースを要しない。これらにより、３メイク式のスイッチ体ＳＷにおいて小型化を実現することができる。特に、鍵Ｋの幅方向においてコンパクトである。しかも、３メイク式でありながら、滑らかでない反力の山は２つ（図１（ｄ）に示すＳＫｃ、ＳＫｄ）で済み、ストロークと共に荷重が急上昇する傾向が抑制され、抜け感のある良いタッチとなり、押鍵荷重特性を向上させることができる。
【００４９】
また、下縁部１３に切欠部１３ａを設け、固定接点２１Ｂ、２１Ｃから引き出される配線２２は、基板１０の、切欠部１３ａに対向する部分を通って配設したので、配線２２が踏まれず、別途の保護をすることなく、安定したスイッチング動作を長期に維持することができる。特に、下縁部１３の直線部は、可動接点ｓｗＡのメイク後のドーム状膨出部１２の変形によって外方へ膨らむように変形しやすく、仮にその部分が基板１０に当接すると、配線２２を剥がしやすく耐久性を低くするおそれがある。従って、切欠部１３ａを、ドーム状膨出部１２の長手方向における中間部に形成したことで、配線２２の保護を効果的に果たしている。
【００５０】
なお、配線２２を保護するという観点に限れば、切欠部１３ａを設けるのは１箇所でもよく、切欠部１３ａに対応する部分を通して配線２２を配設すればよい。
【００５１】
また、押鍵荷重特性の向上と小型化を実現する観点に限れば、押鍵往行程におけるメイク順序は、例示したものに限定されず、例えば、可動接点ｓｗＢ→ｓｗＡ→ｓｗＣの順であってもよい。ただし、スイッチング動作の安定の観点からは、図１（ａ）で例示したように、長手方向において遠い側の可動接点ｓｗＡ１、ｓｗＡ２が先に当接するのが好ましい。
【００５２】
（第２の実施の形態）
図２（ａ）、（ｂ）は、本発明の第２の実施の形態に係る鍵スイッチ構造におけるスイッチ体の断面図、裏面図である。
【００５３】
第１の実施の形態では、可動接点ｓｗＡ１、ｓｗＡ２は同高で、メイクタイミングが同じであった。これに対し第２の実施の形態では、押鍵往行程において可動接点ｓｗＡ１が先にメイクし、可動接点ｓｗＡ２が後からメイクするよう、基板１０に対する距離を、可動接点ｓｗＡ２よりも可動接点ｓｗＡ１の方が近い構成とする。また、可動接点ｓｗＡ１と固定接点２１Ａ１とのメイク、可動接点ｓｗＡ２と固定接点２１Ａ２とのメイクで、別の検出信号が得られるものとして扱う。ドーム状膨出部１２以外の構成は第１の実施の形態と同様である。従って、本実施の形態においては、スイッチ体ＳＷは４メイク式となる。
【００５４】
ドーム状膨出部１２の下縁部１３の形状形成によって、可動接点ｓｗＡ１の下面の側面視（ドーム状膨出部１２の短手方向視）の形状は、ほぼ下方に凸の形状となっている。すなわち、非押鍵状態において、可動接点ｓｗＡ１の下面のうち、可動接点ｓｗＡ２から遠い側は水平な水平部１７であり、それより可動接点ｓｗＡ２に近い側の部分は、可動接点ｓｗＡ２の方向に向かうにつれて基板１０からの距離が大きくなるような斜面部１８となっている。水平部１７と斜面部１８との連接部には微小なＲ形状を設けてもよい。
【００５５】
これにより、押鍵往行程において、可動接点ｓｗＡ１のうち水平部１７が固定接点２１Ａ１に最初に当接する。その後、可動接点ｓｗＡ２が固定接点２１Ａ２に当接するまでの間に、可動接点ｓｗＡ１の下面は図２の時計方向に徐々に傾斜していく。しかし、その途中で斜面部１８が固定接点２１Ａ１に当接するようになるため、可動接点ｓｗＡ１全体としては、固定接点２１Ａ１との当接状態が安定して維持される。
【００５６】
また、ドーム状膨出部１２の下縁部１３のうち直線部、すなわち、ドーム状膨出部１２の長手方向における中間部は、他の部分よりも厚く（短手方向に厚く）形成された厚肉部１９となっている。上下方向において厚肉部１９とする領域に限定はないが、少なくとも下縁部１３の最下端は厚肉とするのが好ましい。また、ドーム状膨出部１２の長手方向において厚肉部１９とする領域は、本実施の形態では切欠部１３ａの領域と一致させたが、両者を完全に一致させることは必須でない。
【００５７】
上記したように可動接点ｓｗＡ１乃至可動接点ｓｗＡ２のメイク後に、ドーム状膨出部１２の弾性変形によって、環状の下縁部１３は外方へ膨らむような力を受ける。仮に、厚肉部１９を設けず、下縁部１３を一様な厚みで形成したとする。その場合でも、可動接点ｓｗＡ１、ｓｗＡ２の部分は円弧状であるため、引っ張り力が作用して、それ自体としては外方へ大きく広がりにくい。ところが、下縁部１３のうち円弧状部分（可動接点ｓｗＡの部分）でない直線部は、ドーム状膨出部１２の弾性変形によって広がる。その結果、円弧状部分の直線部との連接部分も直線部につられて外方へ広がることになる。直線部の長手方向中央部は最も外方に膨らむ。
【００５８】
本実施の形態では、厚肉部１９を設けたことで、直線部の外方への広がり傾向が抑制され、それによって、可動接点ｓｗＡの部分がスイッチ動作時に外方へ変位しないようにすることができる。可動接点ｓｗＡが水平方向に変位しないので、固定接点２１Ａとの接触不良も生じにくく、スイッチング動作が安定する。
【００５９】
本実施の形態によれば、スイッチ体ＳＷの小型化、押鍵荷重特性の向上、配線２２の保護に関し、第１の実施の形態と同様の効果を奏することができる。特に、本実施の形態では、４メイク式とする場合に、ドーム状膨出部１２の内側の可動接点は２個のままで、可動接点ｓｗＡ１、ｓｗＡ２のメイクタイミングを異ならせたので、小型の４メイク式のスイッチ体ＳＷを実現することができる。
【００６０】
本実施の形態によればまた、厚肉部１９により、スイッチ動作時における下縁部１３の外方への変形を抑制してスイッチング動作を安定させることができる。さらに、可動接点ｓｗＡ１の下面に、水平部１７に連接して斜面部１８を設けたので、可動接点ｓｗＡ１の固定接点２１Ａ１との当接状態を安定させることができる。
【００６１】
ところで、可動接点ｓｗＡ１が傾いても固定接点２１Ａ１との当接状態を安定させる観点からは、可動接点ｓｗＡ１の下面の形状は、基本的には側面視で下方に凸であればよい。従って、斜面部１８は平坦面でなくてもよく、下方に凸の緩やかな曲面であってもよい。さらに、図３（ａ）、（ｂ）に示すように、各種の変形例が考えられる。
【００６２】
図３（ａ）、（ｂ）は、可動接点ｓｗＡ１の下面形状の変形例を示す断面図である。例えば、図３（ａ）に示すように、可動接点ｓｗＡ１の下面のうち、押鍵往行程において最初に当接する部分Ｐ１は可動接点ｓｗＡ２に最も遠い位置となっていて、部分Ｐ１から可動接点ｓｗＡ２の方向に向かうにつれて基板１０からの距離が大きくなっていてもよい。あるいは、図３（ｂ）に示すように、可動接点ｓｗＡ１の下面形状は、全体的に下方に凸の曲面であって、押鍵往行程において最初に当接する部分Ｐ１は、可動接点ｓｗＡ２に最も遠い位置よりも少し可動接点ｓｗＡ２寄りであってもよい。
【００６３】
また、厚肉部１９については、図２（ｂ）の例では、円弧状部分（可動接点ｓｗＡの部分）に対して外側、内側の双方に厚くなっていたが、これに限られない。例えば、図３（ｃ）に示すように、内側にのみ厚く形成してもよいし、図３（ｄ）に示すように、外側にのみ厚く形成してもよい。
【００６４】
ところで、上記第１、第２の実施の形態において、ドーム状膨出部１２の下縁部１３の環状形状は、可動接点ｓｗＢ、ｓｗＣの並び方向に長い、直線部を有する環状とした。しかし、これに限るものではなく、図３（ｅ）に例示するような、楕円形乃至長円（２定点からの距離の和が一定の曲線）であってもよい。楕円形にすると、可動接点ｓｗＡでない部分も曲率半径は大きいものの円弧状となるので、下縁部１３が基板１０に当接した後にドーム状膨出部１２が変形するときに引っ張り力が作用して、外方へ膨らもうとする力が図１（ｂ）の例に比べれば減少する。これにより、可動接点ｓｗＡの固定接点２１Ａとの接点動作が安定する。
【００６５】
なお、厚肉部１９を設ける構成（図２（ｂ））は、第１の実施の形態（図１（ｂ））にも組み合わせて適用可能である。また、下縁部１３を楕円形にする構成（図３（ｅ））は、第１、第２の実施の形態のいずれにも、組み合わせて適用可能である。
【００６６】
なお、第１、第２の実施の形態において、ドーム状膨出部１２の内側に設ける膨出部（可動接点ｓｗ）の数は、３つ以上であってもよい。その場合は、それら全てを一列に配列し、下縁部１３の環状形状を、可動接点ｓｗの配列方向に沿って長い環状とすればよい。
【００６７】
なお、各実施の形態において、スイッチ体ＳＷは鍵Ｋによって直接駆動されるとしたが、これに限られない。すなわち、押鍵のための操作に伴って回動等の移動をする移動部材、例えば、鍵自身のほか、鍵と連動して回動する質量体、あるいはそれらに介在する部材によってスイッチ体ＳＷ（被駆動部１４の上面１４ａ）が駆動される構成においても、本発明を適用可能である。また、これら鍵スイッチを駆動する部材の動きは、回動乃至揺動に限られず、平行移動であってもよい。
【符号の説明】
【００６８】
１０  基板、  １１  ベース部、  １２  ドーム状膨出部、  １３  下縁部、  １３ａ  切欠部、  １４  被駆動部、  １５、１６  膨出部、  １７  水平部、  １８  斜面部、  １９  厚肉部、  ２１  固定接点、  ２２  配線、  Ｋ  鍵、  ｓｗＡ  可動接点（ドーム可動接点）、  ｓｗＢ、ｓｗＣ  可動接点、  ＳＫａ  スカート部
【図１】
0005598266.tif 000002
【図２】
0005598266.tif 000003
【図３】
0005598266.tif 000004
【図４】
0005598266.tif 000005